(57)【要約】【課題】  エリア数の不足による不感地帯の発生を防止すると共に、サービスエリアを拡張できる無線基地局装置を提供する。【解決手段】  基地局本体装置と、サービスエリアをさらに複数に分割したサブエリア毎に設置される、基地局本体装置との間で移動端末装置毎のベースバンド信号を送受信する複数の張出し無線装置と、上位装置から移動端末装置へ送信される下り信号を該移動端末装置が在圏するサービスエリアの各サブエリアに設置された複数の張出し無線装置へそれぞれ分配し、移動端末装置が在圏するサービスエリアの各サブエリアに設置された張出し無線装置からそれぞれ受信した、該移動端末装置から上位装置へ送信される複数の上り信号を合成し、該合成した上り合成信号を基地局本体装置へ送信するベースバンドサーバとを有する構成とする。【選択図】  図２
2006013778.tif 000002
【特許請求の範囲】
【請求項１】
複数設けられたサービスエリア内に在圏する各移動端末装置と無線通信を行う無線基地局装置であって、
前記移動端末装置毎のベースバンド信号に対する処理を行う基地局本体装置と、
前記サービスエリアをさらに複数に分割したサブエリア毎に設置される、前記移動端末装置と無線通信を行うと共に、前記基地局本体装置との間で前記移動端末装置毎の前記ベースバンド信号を送受信する複数の張出し無線装置と、
前記基地局本体装置から受信した、上位装置から前記移動端末装置へ送信される前記ベースバンド信号から成る下り信号を、該移動端末装置が在圏するサービスエリアの各サブエリアに設置された複数の張出し無線装置へそれぞれ分配し、前記移動端末装置が在圏するサービスエリアの各サブエリアに設置された張出し無線装置からそれぞれ受信した、該移動端末装置から前記上位装置へ送信される前記ベースバンド信号から成る複数の上り信号を合成し、該合成した上り合成信号を前記基地局本体装置へ送信するベースバンドサーバと、
を有する無線基地局装置。
【請求項２】
前記ベースバンドサーバは、
前記サービスエリア毎に、各サブエリアに設置された張出し無線装置からそれぞれ受信した複数の上り信号の平均値を求めることで前記上り合成信号を生成する請求項１記載の無線基地局装置。
【請求項３】
複数設けられたサービスエリア内に在圏する各移動端末装置と無線通信を行う無線基地局装置であって、
前記移動端末装置毎のベースバンド信号に対する処理を行う基地局本体装置と、
前記サービスエリアをさらに複数に分割したサブエリア毎に設置される、前記移動端末装置と無線通信を行うと共に、前記基地局本体装置との間で前記移動端末装置毎の前記ベースバンド信号を送受信する複数の張出し無線装置と、
を有し、
前記サービスエリア毎に設けられた前記複数の張出し無線装置のうちの少なくとも１台に、
前記基地局本体装置から受信した、上位装置から前記移動端末装置へ送信される前記ベースバンド信号から成る下り信号を、該移動端末装置が在圏するサービスエリアの各サブエリアに設置された複数の張出し無線装置へそれぞれ分配し、前記移動端末装置が在圏するサービスエリアの各サブエリアに設置された張出し無線装置からそれぞれ受信した、該移動端末装置から前記上位装置へ送信される前記ベースバンド信号から成る複数の上り信号を合成し、該合成した上り合成信号を前記基地局本体装置へ送信する合成分配部を備えた無線基地局装置。
【請求項４】
前記合成分配部は、
前記サービスエリア毎に、各サブエリアに設置された前記張出し無線装置からそれぞれ受信した複数の上り信号の平均値を求めることで前記上り合成信号を生成する請求項３記載の無線基地局装置。
【請求項５】
前記張出し無線装置は、
前記サービスエリア毎に、同一のベースバンド信号から生成した無線周波数信号を同一のタイミングで各々のサブエリアへ向けて放射する請求項１乃至４のいずれか１項記載の無線基地局装置。
【請求項６】
移動端末装置毎のベースバンド信号に対する処理を行う基地局本体装置と、サービスエリアに在圏する各移動端末装置と無線通信を行う複数の張出し無線装置とを有する無線基地局装置が備える、上位装置から前記基地局本体装置を経由して前記移動端末装置へ送信される下り信号、及び前記移動端末装置から前記張出し無線装置を経由して前記上位装置へ送信される上り信号を中継するサーバ装置であって、
前記基地局本体装置から受信した前記ベースバンド信号から成る下り信号を、送信先の移動端末装置が在圏する前記サービスエリアをさらに複数に分割したサブエリア毎に予め設置された複数の張出し無線装置へそれぞれ分配し、前記移動端末装置が在圏するサービスエリアの各サブエリアに設置された前記張出し無線装置からそれぞれ受信した前記ベースバンド信号からなる複数の上り信号を合成し、該合成した上り合成信号を前記基地局本体装置へ送信する合成分配部を備えたサーバ装置。
【請求項７】
前記合成分配部は、
前記サービスエリア毎に、各サブエリアに設置された前記張出し無線装置からそれぞれ受信した複数の上り信号の平均値を求めることで前記上り合成信号を生成する請求項６記載のサーバ装置。
【請求項８】
移動端末装置毎のベースバンド信号に対する処理を行う基地局本体装置と、サービスエリアに在圏する各移動端末装置と無線通信を行う複数の張出し無線装置とを有する無線基地局装置で実行する、上位装置から前記基地局本体装置を経由して前記移動端末装置へ送信される下り信号、及び前記移動端末装置から前記張出し無線装置を経由して前記上位装置へ送信される上り信号を中継するための信号中継方法であって、
前記基地局本体装置から受信した前記ベースバンド信号から成る下り信号を、送信先の移動端末装置が在圏する前記サービスエリアをさらに複数に分割したサブエリア毎に予め設置された複数の張出し無線装置へそれぞれ分配し、
前記移動端末装置が在圏するサービスエリアの各サブエリアに設置された前記張出し無線装置からそれぞれ受信した前記ベースバンド信号から成る複数の上り信号を合成し、該合成した上り合成信号を前記基地局本体装置へ送信する信号中継方法。
【請求項９】
前記サービスエリア毎に、各サブエリアに設置された前記張出し無線装置からそれぞれ受信した複数の上り信号の平均値を求めることで前記上り合成信号を生成する請求項８記載の信号中継方法。
【発明の詳細な説明】
【技術分野】
【０００１】
本発明は、符号分割多重アクセス方式を採用する移動通信システムが備える、移動端末装置と無線通信を行う無線基地局装置に関し、特に基地局本体装置と張出し無線装置とによって構成される無線基地局装置に関する。
【背景技術】
【０００２】
符号分割多重アクセス（Code Division Multiple Access：以下、ＣＤＭＡと称す）方式を採用する移動通信システムでは、無線基地局装置からの電波が届く範囲が通信エリアとなるため、トンネル内や地下等の無線基地局装置からの電波が届かない不感地帯では移動端末装置を使用することができない。また、近年の移動通信システムでは、携帯電話機等の移動端末装置の普及に伴って無線基地局装置にて多数のユーザ宛のデータを処理する必要があるため、装置構成が複雑かつ大型化する傾向にある。そのため、無線基地局装置を、移動端末装置毎のベースバンド信号に対する処理を行う基地局本体装置と、無線周波数信号の電力増幅や変復調等を行う、アンテナ装置を備えた張出し無線装置とに分離した構成が知られている。
【０００３】
張出し無線装置は、基地局本体装置と比較して小型であるため、地下鉄の構内や地下街等にも設置することが可能であり、上述した不感地帯を無くすためにも有効である。
【０００４】
通常、無線基地局装置が管理する通信エリアは、図３に示すように複数のサービスエリア１０６1〜１０６m（ｍは正の整数）に分割されているため、張出し無線装置１０３は基地局本体装置１０１から離れた各サービスエリア１０６1〜１０６mに設置され、１台の基地局本体装置１０１には同様構成のｍ台の張出し無線装置１０３がそれぞれ光伝送路（例えば光ファイバ）１０４を介して接続される。
【０００５】
なお、無線基地局装置としてのサービスエリアを拡張することを目的として、移動端末装置と無線通信を行うスレーブ中継器を多数設置し、基地局本体装置と各スレーブ中継器間で送受信される信号をマスタ中継器により中継する構成が特許文献１に記載されている。このようなマスタ中継器と複数のスレーブ中継器とを有する無線基地局装置の構成を図４に示す。
【０００６】
図４はマスタ中継器と複数のスレーブ中継器とを有する従来の無線基地局装置の構成を示すブロック図である。
【０００７】
図４に示す従来の無線基地局装置は、基地局本体装置２０１と、基地局本体装置２０１と無線周波数信号を送受信するマスタ中継器２０２と、マスタ中継器２０２と光伝送路によって接続される複数のスレーブ中継器２０３とを有する構成である。なお、図４では１台のスレーブ中継器２０３のみを記載している。
【０００８】
基地局本体装置２０１は、移動端末装置と通信するための無線周波数信号を生成し、マスタ中継器２０２に送信する。また、マスタ中継器２０２を介してスレーブ中継器２０３から受信した無線周波数信号から移動端末装置毎の信号を再生し、周知の交換機等の上位装置（不図示）へ送信する。
【０００９】
マスタ中継器２０２は、基地局本体装置２０１から受信した無線周波数信号を光信号に変換すると共に各スレーブ中継器２０３から受信した光信号を無線周波数信号に変換するＯ／Ｅ変換部２０５を備えた構成である。
【００１０】
スレーブ中継器２０３は、アンテナ装置２０８と、マスタ中継器２０２から受信した光信号を無線周波数信号に変換すると共にマスタ中継器２０２へ送信する無線周波数信号を光信号に変換するＯ／Ｅ変換部２０６と、Ｏ／Ｅ変換部２０６とアンテナ装置２０８との伝送経路を無線周波数信号の送受信に応じて切り替える送受信共用器（ＤＵＰ）２０７とを有する構成である。なお、マスタ中継器２０２とスレーブ中継器２０３間で送受信される光信号は、光を無線周波数信号によりアナログ変調することで生成された信号である。
【００１１】
このような構成において、基地局本体装置２０１からマスタ中継器２０２へ送信された各移動端末装置向けの無線周波数信号はＯ／Ｅ変換部２０５にて光信号に変換され各スレーブ中継器２０３へ分配される。スレーブ中継器２０３は、マスタ中継器２０２から受信した光信号をＯ／Ｅ変換部２０６にて無線周波数信号に変換し、送受信共用器２０７を経由してアンテナ装置２０８からサービスエリア２０４内へ放射する。
【００１２】
一方、スレーブ中継器２０３のアンテナ装置２０８で受信した無線周波数信号は、送受信共用器２０７を経由してＯ／Ｅ変換部２０６にて光信号に変換され、光伝送路を介してマスタ中継器２０２へ送信される。マスタ中継器２０２は、スレーブ中継器２０３から受信した光信号をＯ／Ｅ変換部２０５にて無線周波数信号に変換し、各スレーブ中継器２０３から受信した無線周波数尊号を結合して基地局本体装置２０１へ送信する。
【特許文献１】特開平１１−２８４６３９号公報
【発明の開示】
【発明が解決しようとする課題】
【００１３】
図３に示した従来の無線基地局装置では、所定の広さのサービスエリア毎に張出し無線装置を設置する構成であるため、山間部や過疎地のように加入者密度が低くても広いサービスエリアが要求される場所、あるいは大規模建造物が密集した地域やその屋内のように地形が複雑なために比較的狭いサービスエリアを多数必要とする場所等では、加入者容量を確保することができても、エリア数の不足によりカバーできる範囲が限定され、不感地帯が生じてしまう問題がある。
【００１４】
また、図４に示したマスタ中継器とスレーブ中継器間でＯ／Ｅ変換部を経由して互いに無線周波数信号を送受信する構成では、Ｏ／Ｅ変換部によるＮＦ（Noise Figure）劣化が大きいため、スレーブ中継器の受信感度が低下してサービスエリアを広くとれない問題がある。
【００１５】
本発明は上記したような従来の技術が有する問題点を解決するためになされたものであり、エリア数の不足による不感地帯の発生を防止すると共に、サービスエリアを拡張できる無線基地局装置を提供することを目的とする。
【課題を解決するための手段】
【００１６】
上記目的を達成するため本発明の無線基地局装置は、複数設けられたサービスエリア内に在圏する各移動端末装置と無線通信を行う無線基地局装置であって、
前記移動端末装置毎のベースバンド信号に対する処理を行う基地局本体装置と、
前記サービスエリアをさらに複数に分割したサブエリア毎に設置される、前記移動端末装置と無線通信を行うと共に、前記基地局本体装置との間で前記移動端末装置毎の前記ベースバンド信号を送受信する複数の張出し無線装置と、
前記基地局本体装置から受信した、上位装置から前記移動端末装置へ送信される前記ベースバンド信号から成る下り信号を、該移動端末装置が在圏するサービスエリアの各サブエリアに設置された複数の張出し無線装置へそれぞれ分配し、前記移動端末装置が在圏するサービスエリアの各サブエリアに設置された張出し無線装置からそれぞれ受信した、該移動端末装置から前記上位装置へ送信される前記ベースバンド信号から成る複数の上り信号を合成し、該合成した上り合成信号を前記基地局本体装置へ送信するベースバンドサーバと、
を有する構成である。
【００１７】
または、複数設けられたサービスエリア内に在圏する各移動端末装置と無線通信を行う無線基地局装置であって、
前記移動端末装置毎のベースバンド信号に対する処理を行う基地局本体装置と、
前記サービスエリアをさらに複数に分割したサブエリア毎に設置される、前記移動端末装置と無線通信を行うと共に、前記基地局本体装置との間で前記移動端末装置毎の前記ベースバンド信号を送受信する複数の張出し無線装置と、
を有し、
前記サービスエリア毎に設けられた前記複数の張出し無線装置のうちの少なくとも１台に、
前記基地局本体装置から受信した、上位装置から前記移動端末装置へ送信される前記ベースバンド信号から成る下り信号を、該移動端末装置が在圏するサービスエリアの各サブエリアに設置された複数の張出し無線装置へそれぞれ分配し、前記移動端末装置が在圏するサービスエリアの各サブエリアに設置された張出し無線装置からそれぞれ受信した、該移動端末装置から前記上位装置へ送信される前記ベースバンド信号から成る複数の上り信号を合成し、該合成した上り合成信号を前記基地局本体装置へ送信する合成分配部を備えた構成である。
【００１８】
上記のように構成された無線基地局装置では、ベースバンドサーバあるいは張出し無線装置の合成分配部により、ベースバンド信号から成る下り信号をサービスエリア毎の各張出し無線装置に分配すると共に、張出し無線装置から送信されるベースバンド信号から成る複数の上り信号をサービスエリア毎に合成して基地局本体装置へ送信するため、基地局本体装置は、サービスエリア内に設置される複数の張出し無線装置を１台の張出し無線装置と見なして処理することができる。また、基地局本体装置と張出し無線装置間でベースバンド信号を送受信するため、張出し無線装置にのみ無線周波数信号を処理する無線部を備えればよい。
【発明の効果】
【００１９】
上記のように構成された無線基地局装置では、基地局本体装置がサービスエリア内に設置された複数の張出し無線装置を１台の張出し無線装置と見なして処理できるため、従来と同様構成の基地局本体装置に対して、さらにサブエリア数倍の張出し無線装置を接続できる。したがって、比較的容易に無線基地局装置のサービスエリアを拡張することが可能であり、かつエリア数の不足による不感地帯の発生を防止できる。
【００２０】
また、基地局本体装置と張出し無線装置間でベースバンド信号を送受信するため、張出し無線装置にのみ無線周波数信号を処理する無線部を備えればよい。そのため、Ｏ／Ｅ変換部を経由して互いに無線周波数信号を送受信する図４に示した構成に比べてＯ／Ｅ部によるＮＦ劣化が低減され、受信感度の低下によるサブエリアの縮小が防止される。よって、同一面積のサービスエリアに通信サービスを提供する場合に、図４に示した構成に比べて少ないサブエリア数でカバーできるため、より安価に無線基地局装置を実現できる。
【発明を実施するための最良の形態】
【００２１】
次に本発明について図面を参照して説明する。
【００２２】
図１は本発明の無線基地局装置の一構成例を示すブロック図であり、図２は図１に示した基地局本体装置、ベースバンドサーバ及び張出し無線装置の構成を示すブロック図である。
【００２３】
図１に示すように、本発明の無線基地局装置は、移動端末装置８毎のベースバンド信号に対する処理を行う基地局本体装置１と、移動端末装置８と無線通信を行うと共に、基地局本体装置１との間で移動端末装置８毎のベースバンド信号を送受信する複数の張出し無線装置３と、基地局本体装置１と複数の張出し無線装置３間で送受信されるベースバンド信号を中継するベースバンドサーバ２とを有する構成である。
【００２４】
本実施形態では、図１に示すようにｍ個のサービスエリア６1〜６mがさらに複数のサブエリア７1〜７n（ｎは正の整数）に分割され、各サブエリア７1〜７nに張出し無線装置３がそれぞれ設置される構成である。すなわち、本実施形態の無線基地局装置では、基地局本体装置１にｍ×ｎ台の張出し無線装置３が接続可能である。
【００２５】
各サービスエリア６1〜６mのサブエリア７1〜７nに設置された張出し無線装置３とベースバンドサーバ２とは光伝送路（例えば光ファイバ）４によってそれぞれ接続され、ベースバンドサーバ２と基地局本体装置１とは各サービスエリアに対応して設けられたｍ本のワイヤ伝送路５によって接続される。なお、サブエリア７1〜７nの数は、全てのサービスエリア６1〜６mで同一である必要はなく、サービスエリア６1〜６m毎に異なっていてもよい。
【００２６】
基地局本体装置１は、周知の交換機等の上位装置（不図示）とサービスエリア６1〜６m内の各移動端末装置８間で送受信される下り信号または上り信号に対して周知の符号拡散処理または逆拡散処理を行い、それぞれのベースバンド信号を生成する。
【００２７】
張出し無線装置３は、自装置が管理するサブエリア内の移動端末装置８と無線通信を行い、送受信する無線周波数信号の電力増幅、無線周波数信号の変調及び復調、並びに無線周波数信号とベースバンド信号間の周波数変換を行い、ベースバンドサーバ２を介して基地局本体装置１との間で移動端末装置８毎のベースバンド信号を送受信する。
【００２８】
ベースバンドサーバ２は、上位装置から移動端末装置８へ向けて送信される下り信号を該移動端末装置８が在圏するサービスエリア内のｎ台の張出し無線装置３へそれぞれ分配する。また、移動端末装置８から上位装置へ向けて送信される上り信号を各サービスエリア６1〜６mのｎ台の張出し無線装置３毎に合成し、基地局本体装置１へ送信する。
【００２９】
図２に示すように、基地局本体装置１は、移動端末装置８毎の送受信信号に対して周知の符号拡散／逆拡散処理を行うベースバンド処理部１１と、ベースバンド信号の多重／分離を行う、各サービスエリア６1〜６mに対応して設けられたｍ台のSer/Des部（シリアライザ/デシリアライザ）１２とを有する構成である。
【００３０】
ベースバンドサーバ２は、基地局本体装置１から受信した下り信号をサービスエリア６1〜６m内の各張出し無線装置３へそれぞれ分配し、張出し無線装置３から受信した複数の上り信号をサービスエリア６1〜６m毎に合成し基地局本体装置１へ送信する、各サービスエリア６1〜６mに対応したｍ台の分配合成部２１と、基地局本体装置１から受信した電気信号（ベースバンド信号）を光信号に変換すると共に、張出し無線装置３から受信した光信号を電気信号（ベースバンド信号）に変換する、各サービスエリア６1〜６mに対応したｍ台のＯ／Ｅ変換部２２とを有する構成であり、例えば基地局本体装置１の近傍（基地局局舎内）に設置される。
【００３１】
張出し無線装置３は、ベースバンドサーバ２から受信した光信号を電気信号に変換すると共に、ベースバンドサーバ２へ送信する電気信号（ベースバンド信号）を光信号に変換するＯ／Ｅ変換部３１と、ベースバンド信号の多重／分離を行うSer/Des部３２と、サービスエリア内の各張出し無線装置３どうしの信号遅延量を補正するための遅延補正部３３と、ベースバンド信号と無線周波数信号間の周波数変換、無線周波数信号の電力増幅、並びに無線周波数信号の変調及び復調等を行う無線部３４と、アンテナ装置３５とを有する構成である。
【００３２】
なお、図１及び図２では、基地局本体装置１とベースバンドサーバ２間がｍ本のワイヤ伝送路５によって接続された構成を示しているが、基地局本体装置１のSer/Des部１２とワイヤ伝送路５間にＯ／Ｅ変換部を備えることで、基地局本体装置１とベースバンドサーバ２間で光信号を送受信する構成としてもよい。その場合、基地局本体装置１とベースバンドサーバ２間は光伝送路で接続され、ベースバンドサーバ２の分配合成部２１は、基地局本体装置１から受信した光信号から成る下り信号を電気信号に変換し、該下り信号をサービスエリア６1〜６m内の各張出し無線装置３へそれぞれ分配し、張出し無線装置３から受信した複数の上り信号をサービスエリア６1〜６m毎に合成し光信号に変換して基地局本体装置１へ送信する構成となる。
【００３３】
次に、本実施形態の無線基地局装置の下り信号送信時の動作について説明する。
【００３４】
上位装置から送信された音声等の下り信号は、ベースバンド処理部１１にて拡散処理され、Ser/Des部１２にてシリアルデータから成るベースバンド信号に変換される。ここでは、張出し無線装置３が備えるアンテナ装置３５がダイバーシティ構成であり、Ser/Des部１２により０系及び１系の下り信号を多重したベースバンド信号を生成するものとする。
【００３５】
基地局本体装置１からベースバンド信号を受信したベースバンドサーバ２は、分配合成部２１にて該ベースバンド信号をコピーし、ｎ個のコピー信号を生成する。各コピー信号はＯ／Ｅ変換部２２にて電気信号からデジタル変調された光信号に変換され、下り信号の送信先の移動端末装置が在圏するサービスエリアの各張出し無線装置３へそれぞれ光伝送路４を介して送信される。
【００３６】
張出し無線装置３は、ベースバンドサーバ２から受信した下り信号（光信号）をＯ／Ｅ変換部３１にて電気信号に変換し、Ser/Des部３２にて０系及び１系のパラレルデータに分離する。そして、該サービスエリア内の各張出し無線装置３と接続されるｎ本の光伝送路のうちの最も長い光伝送路に合わせて、遅延補正部３３にて光伝送路による遅延量をそれぞれ補正し、無線部３４にて無線周波数信号を所定の通信方式にしたがって変調した後、アンテナ装置３５からサブエリア内に放射する。
【００３７】
このとき、本実施形態の無線基地局装置では、同じサービスエリア内のｎ台の張出し無線装置３が、同一のベースバンド信号から生成した無線周波数信号を同一のタイミングでそれぞれが管理するサブエリア内に放射する。すなわち、ｎ個のサブエリア内に同一の電波を同じタイミングで放射するため、一つのサービスエリアに対する動作と等価になる。したがって、基地局本体装置１は、各サービスエリア６1〜６mにそれぞれ１台の張出し無線装置３が設置された場合と同様の処理を行えばよい。
【００３８】
次に、図２に示した無線基地局装置の上り信号受信時の動作について説明する。
【００３９】
サブエリア内の移動端末装置８から送信された無線周波数信号は、張出し無線装置３のアンテナ装置３５で受信され、無線部３４にて所定の通信方式にしたがって復調され、０系及び１系のベースバンド信号として出力される。無線部３４から出力された０系及び１系のベースバンド信号は、遅延補正部３３にて光伝送路４の遅延量に応じて遅延量が補正され、Ser/Des部３２にて多重されてシリアルデータから成るベースバンド信号に変換される。多重後のベースバンド信号はＯ／Ｅ変換部３１にてデジタル変調された上り光信号に変換され、光伝送路４を介してベースバンドサーバ２に送信される。
【００４０】
ベースバンドサーバ２は、張出し無線装置３から受信した上り光信号をＯ／Ｅ変換部２２にて電気信号に変換し、分配合成部２１にて同じサービスエリア内の他の張出し無線装置３から送られた上り信号とそれぞれの振幅を合算しサブエリア数で除算することで平均値を求め、該平均値をサービスエリア毎の上り信号（上り合成信号）として基地局本体装置１へ送信する。
【００４１】
基地局本体装置１は、ベースバンドサーバ２から受信した上り信号をSer/Des部１２にて０系及び１系のパラレルデータに分離し、ベースバンド処理部１１にて逆拡散した後、上位装置へ送信する。
【００４２】
上述したように、本実施形態では、同じサービスエリア内のｎ台の張出し無線装置３から送信された上り信号を合成して基地局本体装置１へ送信するため、下り信号に対する処理時と同様に、基地局本体装置１は各サービスエリア６1〜６mにそれぞれ１台の張出し無線装置３が設置された場合と同様の処理を行えばよい。
【００４３】
なお、本発明の無線基地局装置では、移動端末装置８が同じサービスエリア内のサブエリア間を移動する場合、基地局本体装置１は１台の張出し無線装置３と等価な処理で済むため、ハンドオフ処理が不要である。
【００４４】
また、上記説明では、ベースバンドサーバ２が備える分配合成部２１により、基地局本体装置１から受信した下り信号をサービスエリア内の各張出し無線装置３へそれぞれ分配し、サービスエリア内の各張出し無線装置から受信した複数の上り信号を合成し基地局本体装置１へ送信する例を示したが、分配合成部２１はサービスエリア毎に設けられた複数の張出し無線装置３のうちの任意の１台または複数台に備えていてもよい。
【００４５】
その場合、基地局本体装置１には各サービスエリアに設置された分配合成部を備える張出し無線装置（以下、張出し中継装置と称す）が光伝送路で接続され、該張出し中継装置と自サービスエリア内の他の張出し無線装置３とがそれぞれ光伝送路で接続された構成となる。
【００４６】
張出し中継装置の動作は上記ベースバンドサーバ２と同様であり、例えば基地局本体装置１から下り信号を受信した張出し中継装置は、自サービスエリア内の他の張出し無線装置３へ光伝送路を介して該下り信号を分配する。また、自サービスエリア内の各張出し無線装置３からの上り信号を受信した張出し中継装置は、それらの上り信号を合成して上り合成信号を生成し、基地局本体装置１へ送信する。
【００４７】
本発明の無線基地局装置によれば、基地局本体装置１がサービスエリア内に設置された複数の張出し無線装置を１台の張出し無線装置と見なして処理できるため、従来と同様構成の基地局本体装置１に対して、さらにサブエリア数倍の張出し無線装置３を接続できる。したがって、比較的容易に無線基地局装置のサービスエリアを拡張することが可能であり、かつエリア数の不足による不感地帯の発生を防止できる。
【００４８】
また、基地局本体装置１と張出し無線装置３間でベースバンド信号を送受信することで、張出し無線装置３にのみ無線周波数信号を処理する無線部を備えた構成とすればよいため、Ｏ／Ｅ変換部を経由して互いに無線周波数信号を送受信する図４に示した従来の構成に比べてＯ／Ｅ部によるＮＦ劣化が低減され、受信感度の低下によるサブエリアの縮小が防止される。したがって、同一面積のサービスエリアに通信サービスを提供する場合でも、図４に示した従来の構成に比べて少ないサブエリア数でカバーできるため、より安価に無線基地局装置を実現できる。
【図面の簡単な説明】
【００４９】
【図１】本発明の無線基地局装置の一構成例を示すブロック図である。
【図２】図１に示した基地局本体装置、ベースバンドサーバ及び張出し無線装置の構成を示すブロック図である。
【図３】従来の無線基地局装置の一般的な構成を示すブロック図である。
【図４】マスタ中継器と複数のスレーブ中継器とを有する従来の無線基地局装置の構成を示すブロック図である。
【符号の説明】
【００５０】
１    基地局本体装置
２    ベースバンドサーバ
３    張出し無線装置
４    光伝送路
５    ワイヤ伝送路
６１〜６ｍ    サービスエリア
７１〜７ｎ    サブエリア
８    移動端末装置
１１    ベースバンド処理部
１２、３２    Ser/Des部
２１    分配合成部
２２、３１    Ｏ／Ｅ変換部
３３    遅延補正部
３４    無線部
３５    アンテナ装置
【図１】
2006013778.tif 000003
【図２】
2006013778.tif 000004
【図３】
2006013778.tif 000005
【図４】
2006013778.tif 000006